(57)【要約】    【課題】      簡素な信号処理によって受信信号のＳＩＲを正確に測定することのできるＳＩＲ測定装置、並びにこのＳＩＲ測定装置を具備する無線通信装置、特にＷ−ＣＤＭＡ方式の無線通信に使用されてもＨＡＲＱ−ＡＣＫについてＳＩＲを正確に測定することのできる基地局装置を提供すること。    【解決手段】  ＳＩＲ算出部１０６は、希望信号電力算出部１０３から入力されてくるＲＳＣＰを干渉信号電力補正部１０５から入力されてくるＩＳＣＰで除することによってＲＡＫＥ合成後の受信信号のＳＩＲを算出する。そして、ＳＩＲ算出部１０６は、算出したＳＩＲを図示しないＨＡＲＱ−ＡＣＫの復号処理を行う構成部等に入力する。  【選択図】      図１
2005175810.tif 000002
【特許請求の範囲】
【請求項１】
ＲＡＫＥ合成後の受信信号の同相成分又は直交成分のいずれか一方に基づいて前記受信信号に含まれる希望信号の電力を算出する希望信号電力算出手段と、
ＲＡＫＥ合成後の前記受信信号の前記同相成分又は前記直交成分のいずれか一方に基づいて前記受信信号に含まれる干渉信号の電力を算出する干渉信号電力算出手段と、
算出された前記希望信号電力を分子とし算出された前記干渉信号電力を分母とする比を算出する希望信号対干渉信号電力比算出手段と、を具備することを特徴とする希望信号対干渉信号電力比測定装置。
【請求項２】
前記干渉信号電力算出手段は、ＲＡＫＥ合成後の前記受信信号の前記同相成分又は前記直交成分のいずれか一方に基づいて、前記受信信号に含まれる前記干渉信号の電力の分散値を２倍に補正することにより、前記干渉信号電力を算出する、ことを特徴とする請求項１記載の希望信号対干渉信号電力比測定装置。
【請求項３】
請求項１記載の希望信号対干渉信号電力比測定装置を具備することを特徴とする無線通信装置。
【請求項４】
請求項３記載の無線通信装置である基地局装置であって、
前記希望信号電力算出手段は、ＲＡＫＥ合成後のＨＳ−ＤＰＣＣＨの前記受信信号に含まれる前記希望信号の電力を算出し、
前記干渉信号電力算出手段は、ＲＡＫＥ合成後のＨＳ−ＤＰＣＣＨの前記受信信号に含まれる前記干渉信号の電力を算出する、ことを特徴とする基地局装置。
【請求項５】
前記希望信号対干渉信号電力比算出手段によって算出された希望信号対干渉信号電力比をＨＡＲＱ−ＡＣＫの復号に用いる、ことを特徴とする請求項４記載の基地局装置。
【発明の詳細な説明】
【技術分野】
【０００１】
本発明は、携帯電話や基地局装置に代表される無線通信装置及びその基地局装置、並びにその無線通信装置に搭載可能な装置であって受信信号に含まれる希望信号の電力を分子としその受信信号に含まれる干渉信号の電力を分母とする比即ち希望信号対干渉信号電力比（ＳＩＲ：Signal-to-Interference power Ratio）を測定する希望信号対干渉信号電力比測定装置（以下、「ＳＩＲ測定装置」と称する場合がある）に関する。
【背景技術】
【０００２】
従来、直交位相変調方式による無線通信において、無線通信装置がＲＡＫＥ合成後の受信信号に基づいてＳＩＲ測定を行う技術が検討されている（例えば、特許文献１参照）。この特許文献１に記載された技術では、ＲＡＫＥ合成後の受信信号に含まれる既知のデータパターンを平均化し、この平均化された既知のデータパターン（以下、「平均シンボル」と称する場合がある）の電力レベルを希望信号電力（ＲＳＣＰ：Received Signal Code Power）とし、ＲＡＫＥ合成後の受信信号に含まれる既知のデータパターンについての分散値を干渉信号電力（ＩＳＣＰ：Interference Signal Code Power）として、ＲＳＣＰを分子としＩＳＣＰを分母とする比を求めることによりその受信信号のＳＩＲを算出する。
【０００３】
図５は、特許文献１に記載された技術で使用されるＳＩＲ測定装置の一般的な構成を示す図であって、ＱＰＳＫ方式で変調された受信信号を復調し、復調後の受信信号の同相成分（Ｉｃｈ成分）と直交成分（Ｑｃｈ成分）とをそれぞれＲＡＫＥ合成した後に、その受信信号のＳＩＲを測定するＳＩＲ測定装置１０の構成を示すブロック図である。ＳＩＲ測定装置１０は、既知パターン生成部１１、平均シンボル算出部１２、希望信号電力算出部１３、干渉信号電力算出部１４及びＳＩＲ算出部１５を具備する。
【０００４】
既知パターン生成部１１は、送信側無線通信装置と受信側無線通信装置との間で既知となっているデータパターンを生成し、生成された既知のデータパターンを平均シンボル算出部１２に入力する。
【０００５】
平均シンボル算出部１２は、図示しない受信信号処理部から入力されてくるＲＡＫＥ合成後の受信信号の同相成分と直交成分とのそれぞれについて、それらのＮ（Ｎは任意の整数）シンボル分を既知パターン生成部１１から入力されてくる既知のデータパターンに乗算して象限を合わせ、その後に平均化することによって平均シンボルを生成する。また、平均シンボル算出部１２は、生成した同相成分の平均シンボルと生成した直交成分の平均シンボルとを個別に希望信号電力算出部１３及び干渉信号電力算出部１４にそれぞれ入力する。
【０００６】
希望信号電力算出部１３は、平均シンボル算出部１２から入力されてくる同相成分の平均シンボルと直交成分の平均シンボルとについて、その同相成分の平均シンボルの電力（ｒｓｃｐ．ｉ２）と直交成分の平均シンボルの電力（ｒｓｃｐ．ｑ２）とをそれぞれ測定し、測定されたそれらの電力を合成することによってＲＳＣＰを算出する。そして、希望信号電力算出部１３は、算出されたＲＳＣＰをＳＩＲ算出部１５に入力する。
【０００７】
干渉信号電力算出部１４は、図示しない受信信号処理部から入力されてくるＲＡＫＥ合成後の受信信号の同相成分及び直交成分と、平均シンボル算出部１２から入力されてくる同相成分の平均シンボル及び直交成分の平均シンボルと、に基づいて、同相成分の既知のデータパターンの分散値と直交成分の既知のデータパターンの分散値と算出し、算出された二つの分散値を加算することによってＩＳＣＰを算出する。そして、干渉信号電力算出部１４は、算出されたＩＳＣＰをＳＩＲ算出部１５に入力する。
【０００８】
ＳＩＲ算出部１５は、希望信号電力算出部１３から入力されてくるＲＳＣＰを干渉信号電力算出部１４から入力されてくるＩＳＣＰで除することによってＲＡＫＥ合成後の受信信号のＳＩＲを算出する。
【０００９】
このＳＩＲ測定装置１０における受信信号のＳＩＲの算出手順について、より具体的に説明する。ここで、ＲＡＫＥ合成後の受信信号に含まれる既知のデータパターンの同相成分をＲｘ〔ｎ〕．ｉ、同直交成分をＲｘ〔ｎ〕．ｑ及び平均シンボルの算出の際に使用された整数をＮ、並びに既知のデータパターンをｒｅｆ〔ｎ〕とすると、ＲＳＣＰは、ＲＡＫＥ合成後の受信信号に含まれる平均シンボルの電力として、下記式（１）、式（２）及び式（３）により求められる。
【００１０】
【数１】
2005175810.tif 000003
【００１１】
【数２】
2005175810.tif 000004
ＲＳＣＰ＝ｒｓｃｐ．ｉ２＋ｒｓｃｐ．ｑ２  ・・・（３）
【００１２】
ここで、式（１）及び式（２）は平均シンボル算出部１２において演算され、式（３）は希望信号電力算出部１３において演算される。
【００１３】
また、ＩＳＣＰは、ＲＡＫＥ合成後の受信信号に含まれる既知のデータパターンの分散値として、ＩＳＣＰの同相成分をｉｓｃｐ〔ｎ〕．ｉ及びその直交成分をｉｓｃｐ〔ｎ〕．ｑとすると、下記式（４）、式（５）及び式（６）により求められる。なお、式（４）、式（５）及び式（６）は全て、干渉信号電力算出部１４において演算されることになる。
【００１４】
ｉｓｃｐ〔ｎ〕．ｉ＝ｒｅｆ〔ｎ〕×Ｒｘ〔ｎ〕．ｉ−ｒｓｃｐ．ｉ  ・・・（４）
ｉｓｃｐ〔ｎ〕．ｑ＝ｒｅｆ〔ｎ〕×Ｒｘ〔ｎ〕．ｑ−ｒｓｃｐ．ｑ  ・・・（５）
【００１５】
【数３】
2005175810.tif 000005
【００１６】
そして、ＲＡＫＥ合成後の受信信号のＳＩＲは、ＲＳＣＰを分子としＩＳＣＰを分母とする比として、下記式（７）により求められる。なお、下記式（７）は、ＳＩＲ算出部１５において演算される。
【００１７】
【数４】
2005175810.tif 000006
【００１８】
このように特許文献１に記載された技術では、ＲＡＫＥ合成後の受信信号の同相成分と直交成分とを共に用いて、その受信信号のＳＩＲが測定される。
【００１９】
ところで、一方では、受信信号の同相成分又は直交成分のいずれか一方のみを用いて、その受信信号のＳＩＲを測定しようとする試みもなされている（例えば、特許文献２参照）。
【特許文献１】特開２００３−３２１６８号公報
【特許文献２】特開２００２−２９０３４４号公報
【発明の開示】
【発明が解決しようとする課題】
【００２０】
しかしながら、特許文献１に記載された技術では、ＲＡＫＥ合成後の受信信号の同相成分と直交成分とを共に用いなければＳＩＲを測定することができないため、ＳＩＲ測定装置における受信信号の信号処理がやや煩雑になる問題がある。
【００２１】
また、特許文献１に記載された技術では、例えばＷ−ＣＤＭＡ方式の無線通信において、上り回線のＨＳ−ＤＰＣＣＨ(Dedicated Physical Control Channel(Uplink)for HS-DSCH)の受信信号のＳＩＲを測定する場合に、ＨＳ−ＤＰＣＣＨと直交する別のチャネルで同じ拡散コードが使用されるため、この別のチャネルの受信信号がＨＳ−ＤＰＣＣＨの受信信号にとって干渉信号となってしまうことから、ＨＳ−ＤＰＣＣＨの受信信号のＳＩＲを正確に測定することができない、という問題がある。具体的には、３ＧＰＰ(3rd Generation Partnership Project)では、Ｗ−ＣＤＭＡ方式の無線通信における上りチャネルにおいて、ＤＰＤＣＨ(Dedicated Physical Data CHannel)が同相成分として、ＨＳ−ＤＰＣＣＨが直交成分としてマッピングされ、これらのチャネルに同じ拡散コードが使用される、と規定されている。そのため、ＨＳ−ＤＰＣＣＨで送信されるＨＡＲＱ−ＡＣＫ(Hybrid-ARQ Acknowledgement)についてのＳＩＲを測定する場合には、同相成分であるＤＰＤＣＨがＨＡＲＱ−ＡＣＫを干渉してしまうため、そのＳＩＲを正確に測定できない、という問題がある。
【００２２】
さらに、特許文献２に記載された技術では、ＳＩＲ測定装置が逆拡散されただけでＲＡＫＥ合成されていない受信信号を用いてＲＳＣＰ及びＩＳＣＰを算出しているため、その受信信号にはフェージングやＡＦＣ(Automatic Freqency Control)残渣等の影響によって位相回転が生じていることから、その受信信号の同相成分又は直交成分のいずれか一方のみを用いてＲＳＣＰ及びＩＳＣＰを正確に算出することは理論的に困難である、という問題がある。
【００２３】
本発明はかかる点に鑑みてなされたものであり、簡素な信号処理によって受信信号のＳＩＲを正確に測定することのできるＳＩＲ測定装置、並びにこのＳＩＲ測定装置を具備する無線通信装置、特にＷ−ＣＤＭＡ方式の無線通信に使用されてもＨＡＲＱ−ＡＣＫについてＳＩＲを正確に測定することのできる基地局装置を提供することを目的とする。
【課題を解決するための手段】
【００２４】
本発明に係る希望信号対干渉信号電力比測定装置は、ＲＡＫＥ合成後の受信信号の同相成分又は直交成分のいずれか一方に基づいて前記受信信号に含まれる希望信号の電力を算出する希望信号電力算出手段と、ＲＡＫＥ合成後の前記受信信号の前記同相成分又は前記直交成分のいずれか一方に基づいて前記受信信号に含まれる干渉信号の電力を算出する干渉信号電力算出手段と、算出された前記希望信号電力を分子とし算出された前記干渉信号電力を分母とする比を算出する希望信号対干渉信号電力比算出手段と、を具備する構成を採る。
【００２５】
この構成によれば、ＲＡＫＥ合成後の受信信号の同相成分又は直交成分のいずれか一方のみを用いて、その受信信号のＲＳＣＰ及びＩＳＣＰが算出されるため、その受信信号に簡素な信号処理を施すだけでその受信信号のＳＩＲを正確に測定することができる。
【００２６】
本発明に係る希望信号対干渉信号電力比測定装置は、前記発明において、前記干渉信号電力算出手段は、ＲＡＫＥ合成後の前記受信信号の前記同相成分又は前記直交成分のいずれか一方に基づいて、前記受信信号に含まれる前記干渉信号の電力の分散値を２倍に補正することにより、前記干渉信号電力を算出する、構成を採る。
【００２７】
この構成によれば、前記発明による効果に加えて、ＩＳＣＰの算出値を２倍に補正するだけであるため、ＲＡＫＥ合成後の受信信号に簡素な信号処理を施すだけでそのＳＩＲの正確性を一層高めることができる。
【００２８】
本発明に係る無線通信装置は、前記発明に係る希望信号対干渉信号電力比測定装置を具備する構成を採る。
【００２９】
この構成によれば、本発明に係るＳＩＲ測定装置を具備するため、受信信号に複雑な信号処理を施さなくてもよいことから、応答速度が速く、かつ、消費電力の少ない無線通信装置が得られる。
【００３０】
本発明に係る基地局装置は、前記発明に係る無線通信装置であって、前記希望信号電力算出手段は、ＲＡＫＥ合成後のＨＳ−ＤＰＣＣＨの前記受信信号に含まれる前記希望信号の電力を算出し、前記干渉信号電力算出手段は、ＲＡＫＥ合成後のＨＳ−ＤＰＣＣＨの前記受信信号に含まれる前記干渉信号の電力を算出する、構成を採る。
【００３１】
この構成によれば、ＲＡＫＥ合成後の受信信号の同相成分又は直交成分のいずれか一方に基づいてその受信信号のＲＳＣＰ及びＩＳＣＰが算出されるため、Ｗ−ＣＤＭＡ方式の無線通信に利用可能な基地局装置を提供することができる。
【００３２】
本発明に係る基地局装置は、前記発明において、前記希望信号対干渉信号電力比算出手段によって算出された希望信号対干渉信号電力比をＨＡＲＱ−ＡＣＫの復号に用いる、構成を採る。
【００３３】
この構成によれば、前記発明による効果に加えて、本発明に係るＳＩＲ測定装置によって算出されたＳＩＲがＨＡＲＱ−ＡＣＫの復号に用いられるため、その復号性能を高めることができる。
【発明の効果】
【００３４】
本発明によれば、ＲＡＫＥ合成後の受信信号の同相成分又は直交成分のいずれか一方に基づいてその受信信号のＲＳＣＰ及びＩＳＣＰが算出されるため、その同相成分と直交成分とが互いに干渉し合う場合でも、簡素な信号処理によってその受信信号のＳＩＲを正確に測定することができる。従って、本発明によれば、Ｗ−ＣＤＭＡ方式の無線通信におけるＨＡＲＱ−ＡＣＫのＳＩＲを正確に測定することができる。
【発明を実施するための最良の形態】
【００３５】
本発明の骨子は、ＲＡＫＥ合成後の受信信号の同相成分又は直交成分のいずれか一方のみに基づいて、その受信信号のＳＩＲを測定することである。
【００３６】
以下、本発明の一実施の形態について、適宜図を参照しつつ詳細に説明する。
【００３７】
図１は、本実施の形態に係るＳＩＲ測定装置１００の構成を示すブロック図である。ＳＩＲ測定装置１００は、通常は携帯電話等の移動体通信端末装置や基地局装置に代表される無線通信装置に組み込まれて使用される。また、本実施の形態では、ＳＩＲ測定装置１００にＲＡＫＥ合成後の受信信号の直交成分（Ｑｃｈ成分）のみが入力されるものとする。
【００３８】
ＳＩＲ測定装置１００は、既知パターン生成部１０１、平均シンボル算出部１０２、希望信号電力算出部１０３、干渉信号電力算出部１０４、干渉信号電力補正部１０５及びＳＩＲ算出部１０６を具備する。
【００３９】
既知パターン生成部１０１は、送信側無線通信装置と受信側無線通信装置との間で既知となっているデータパターンを生成し、生成された既知のデータパターンを平均シンボル算出部１０２に入力する。
【００４０】
平均シンボル算出部１０２は、図示しない受信信号処理部から入力されてくるＲＡＫＥ合成後の受信信号の直交成分について、そのＮ（Ｎは任意の整数）シンボル分を既知パターン生成部１０１から入力されてくる既知のデータパターンに乗算して象限を合わせ、その後に平均化することによって平均シンボルを生成する。また、平均シンボル算出部１２は、生成した直交成分の平均シンボルを希望信号電力算出部１０３及び干渉信号電力算出部１０４に逐次入力する。
【００４１】
希望信号電力算出部１０３は、平均シンボル算出部１０２から入力されてくる直交成分の平均シンボルの電力を測定することによってＲＳＣＰを算出し、算出されたＲＳＣＰをＳＩＲ算出部１０６に入力する。
【００４２】
干渉信号電力算出部１０４は、図示しない受信信号処理部から入力されてくるＲＡＫＥ合成後の受信信号の直交成分と、平均シンボル算出部１０２から入力されてくる直交成分の平均シンボルと、に基づいて、直交成分の既知のデータパターンの分散値即ちＩＳＣＰ´を算出し、算出されたＩＳＣＰ´を干渉信号電力補正部１０５に入力する。
【００４３】
干渉信号電力補正部１０５は、干渉信号電力算出部１０４から入力されてくるＩＳＣＰ´を２倍に補正し、補正後のＩＳＣＰをＳＩＲ算出部１０６に入力する。
【００４４】
ＳＩＲ算出部１０６は、希望信号電力算出部１０３から入力されてくるＲＳＣＰを干渉信号電力補正部１０５から入力されてくるＩＳＣＰで除することによってＲＡＫＥ合成後の受信信号のＳＩＲを算出する。そして、ＳＩＲ算出部１０６は、算出したＳＩＲを図示しないＨＡＲＱ−ＡＣＫの復号処理を行う構成部等に入力する。
【００４５】
さらに、この図示しないＨＡＲＱ−ＡＣＫの復号処理を行う構成部では、ＳＩＲ算出部１０６から入力されてくるＳＩＲを用いて、そのＨＡＲＱ−ＡＣＫがＡＣＫであるのかＮＡＣＫであるのかＤＴＸ（信号なし）であるのかが判定される。例えば、ＳＩＲ算出部１０６から入力されてくるＳＩＲと既定の閾値との大小を比較することによって、そのＨＡＲＱ−ＡＣＫがＤＴＸ（信号なし）であるか否かの判定精度を高めることができる。
【００４６】
次いで、ＳＩＲ測定装置１００における受信信号のＳＩＲの算出手順について、より具体的に説明する。ＲＡＫＥ合成では受信信号の同期検波が必然的に行われるため、ＲＡＫＥ合成後の受信信号には、フェージング等に由来する位相回転が同期検波によって補正されて殆ど残存しない。従って、ＲＡＫＥ合成後の受信信号に基づいてそのＳＩＲを測定する場合には、希望信号の大部分が直交成分上に存在すると仮定することができる。そして、このように仮定した場合には、ｒｓｃｐ．ｉ＝０となることから、式（３）より、ＲＳＣＰは下記式（８）によって求められる。なお、ＲＡＫＥ合成後の受信信号のｒｓｃｐ．ｑは平均シンボル算出部１０２において算出され、そのＲＳＣＰは希望信号電力算出部１０３において算出されることになる。
【００４７】
ＲＳＣＰ＝ｒｓｃｐ．ｑ２  ・・・（８）
【００４８】
一方で、ＲＡＫＥ合成後の受信信号であっても雑音等の干渉信号は同相成分上にも直交成分上にも一様に分布すると仮定できるため、下記式（９）が成り立つことになる。
【００４９】
【数５】
2005175810.tif 000007
【００５０】
そこで、式（９）を式（６）に当てはめて、先ず干渉信号電力算出部１０４において下記式（１０）によってＩＳＣＰ´を算出し、続いて干渉信号電力補正部１０５において下記式（１１）によってＩＳＣＰ´を２倍に補正することでＩＳＣＰを算出することができる。
【００５１】
【数６】
2005175810.tif 000008
ＩＳＣＰ＝ＩＳＣＰ´×２  ・・・（１１）
【００５２】
そして、ＳＩＲ算出部１０６において、式（８）によって算出されたＲＳＣＰを式（１１）によって算出されたＩＳＣＰで除することにより、ＲＡＫＥ合成後の受信信号の直交成分のみに基づいてそのＳＩＲを算出することができる。
【００５３】
図２、図３及び図４に、本実施の形態に係るＳＩＲ測定装置１００と従来の技術に係るＳＩＲ測定装置１０とを用いてＨＡＲＱ−ＡＣＫ（直交するＤＰＤＣＨが干渉信号となっている）についてのＲＳＣＰ、ＩＳＣＰ及びＳＩＲをシミュレーションで算出した結果と、従来の技術に係るＳＩＲ測定装置１０を用いてパイロット信号（直交する同相成分が干渉信号となっていない）についてのＲＳＣＰ、ＩＳＣＰ及びＳＩＲをシミュレーションで算出した結果と、をそれぞれ示す。図２、図３及び図４において、「△」は本実施の形態に係るＳＩＲ測定装置１００を用いたＨＡＲＱ−ＡＣＫについてのシミュレーション結果を、「□」は従来の技術に係るＳＩＲ測定装置１０を用いたパイロット信号についてのシミュレーション結果を、「×」は従来の技術に係るＳＩＲ測定装置１０を用いたＨＡＲＱ−ＡＣＫについてのシミュレーション結果を、それぞれ示す。なお、図２、図３及び図４において、それらの横軸には入力信号即ちＨＡＲＱ−ＡＣＫ又はパイロット信号のＳＩＲ〔ｄＢ〕を採り、またそれらの縦軸には各シミュレーション結果である測定ＳＩＲ〔ｄＢ〕を採る。
【００５４】
図２より明らかなように、本実施の形態に係るＳＩＲ測定装置１００によれば、直交するＤＰＤＣＨが干渉信号となっているＨＡＲＱ−ＡＣＫについてのＳＩＲ測定において、ほぼ期待値通りのＳＩＲを算出できることが判る。また図２より、本実施の形態に係るＳＩＲ測定装置１００によれば、従来の技術に係るＳＩＲ測定装置１０よりも正確にＨＡＲＱ−ＡＣＫのＳＩＲを測定できることが判る。
【００５５】
従って、本実施の形態に係るＳＩＲ測定装置１００によれば、ＲＡＫＥ合成後の受信信号の直交成分のみを用いてそのＲＳＣＰ及びＩＳＣＰが算出されるため、その直交成分に簡素な信号処理を施すだけでその受信信号のＳＩＲを正確に測定することができる。
【００５６】
また、ＳＩＲ測定装置１００によれば、干渉信号電力算出部１０４において式（１０）によりＩＳＣＰ´が算出され、算出されたＩＳＣＰ´が干渉信号電力補正部１０５で２倍に補正されるだけで正確なＩＳＣＰが算出されるため、ＲＡＫＥ合成後の受信信号の直交成分に簡素な信号処理を施すだけでそのＳＩＲの正確性を一層高めることができる。
【００５７】
また、ＳＩＲ測定装置１００を具備する基地局装置等の無線通信装置によれば、ＳＩＲ測定装置１００における受信信号の信号処理が簡素であるため、その応答速度と消費電力とを改善することができる。
【００５８】
また、ＳＩＲ測定装置１００を具備する基地局装置によれば、ＲＡＫＥ合成後の受信信号の直交成分に基づいてそのＲＳＣＰ及びＩＳＣＰが算出されるため、Ｗ−ＣＤＭＡ方式の無線通信に利用することができる。
【００５９】
また、ＳＩＲ測定装置１００を具備する基地局装置によれば、ＳＩＲ測定装置１００によって算出されたＳＩＲがＨＡＲＱ−ＡＣＫの復号に用いられるため、その復号性能を高めることができる。
【００６０】
なお、本実施の形態に係るＳＩＲ測定装置１００やこれを具備する無線通信装置について、次のように応用したり、変形したりしてもよい。
【００６１】
本実施の形態では、無線通信装置がＳＩＲ測定装置１００を一つ具備し、ＳＩＲ測定装置１００にＲＡＫＥ合成後の受信信号の直交成分のみが入力される場合について説明したが、本発明はこの場合に限定されるものではなく、例えば無線通信装置がＳＩＲ測定装置１００を二つ具備し、各ＳＩＲ測定装置１００がＲＡＫＥ合成後の受信信号の同相成分と直交成分とについて、それぞれ個別にＳＩＲを測定するようにしてもよい。また、例えば、無線通信装置がＳＩＲ測定装置１００を一つ具備し、このＳＩＲ測定装置１００がＲＡＫＥ合成後の受信信号の同相成分と直交成分とについて、時分割で交互にＳＩＲを測定するようにしてもよい。
【００６２】
また、本実施の形態では、干渉信号電力補正部１０５が干渉信号電力算出部１０４から入力されてくるＩＳＣＰ´を２倍に補正する場合について説明したが、本発明はこの場合に限定されるものではなく、例えばＳＩＲ測定装置１００から干渉信号電力補正部１０５を取り除いて、ＳＩＲ算出部１０６の下流に配置される構成部がＳＩＲ算出部１０６から出力されてくるＳＩＲの半値を正確なＳＩＲとして使用するようにしてもよい。
【産業上の利用可能性】
【００６３】
本発明に係る希望信号対干渉信号電力比測定装置、無線通信装置及び基地局装置は、受信信号の同相成分と直交成分とが互いに干渉し合う場合でも、簡素な信号処理によってそのＳＩＲを正確に測定することができるという効果を有し、無線通信システム特にＷ−ＣＤＭＡ方式による無線通信システム等にとって有用である。
【図面の簡単な説明】
【００６４】
【図１】本発明に係るＳＩＲ測定装置の構成を示すブロック図
【図２】本発明に係るＳＩＲ測定装置によるＳＩＲ測定のシミュレーション結果を示す図
【図３】本発明に係るＳＩＲ測定装置によるＳＩＲ測定のシミュレーション結果を示す図
【図４】本発明に係るＳＩＲ測定装置によるＳＩＲ測定のシミュレーション結果を示す図
【図５】従来の技術に係るＳＩＲ測定装置の構成を示すブロック図
【符号の説明】
【００６５】
１００  希望信号対干渉信号電力比（ＳＩＲ）測定装置
１０１  既知パターン生成部
１０２  平均シンボル算出部
１０３  希望信号電力算出部
１０４  干渉信号電力算出部
１０５  干渉信号電力補正部
１０６  ＳＩＲ算出部
【図１】
2005175810.tif 000009
【図２】
2005175810.tif 000010
【図３】
2005175810.tif 000011
【図４】
2005175810.tif 000012
【図５】
2005175810.tif 000013